(57)【特許請求の範囲】
【請求項１】
三つ以上の支持アームと、その各支持アームにそれぞれ設けられた支持部材とを備え、前記各支持部材によってドラムを支持するドラムスタンドであって、
前記各支持部材は、ドラムの側部に対向する部位である側部と、同ドラムの底部に対向する部位である底部とを備え、
前記側部は前記支持アームに固定され、
前記底部は、少なくとも一部に前記ドラムからの衝撃により撓み可能な板状の可撓部を備え、かつ前記支持部材に支持されるドラムの底面部と直交する方向と略平行な方向への前記可撓部の撓みを許容する空間が形成されている
ことを特徴とするドラムスタンド。
【請求項２】
前記可撓部は前記側部から一体に前記支持アーム長手方向に沿って形成され、当該可撓部の下方には前記支持アームに対する隙間を有し、その隙間により前記可撓部の撓みを許容している
ことを特徴とする請求項１に記載のドラムスタンド。
【請求項３】
前記可撓部の前記支持アームの長手方向と直交する方向である幅方向両側には下方へ向け延びる一対の側壁部が設けられている
ことを特徴とする請求項２に記載のドラムスタンド。
【請求項４】
前記底部は、前記支持アームの外周を覆い、
当該底部の前記支持アームより上方に位置する部分に肉厚部が形成されるとともに、
当該肉厚部内に閉じた中空部が形成され、当該中空部の前記ドラムに対向する側に前記可撓部が形成されている
ことを特徴とする請求項１に記載のドラムスタンド。
【請求項５】
前記底部は、前記支持アームの外周を覆う台部と、当該台部の上部に一体的に形成され前記支持アームの長手方向に沿って貫通するトンネル状の中空部が形成され、当該中空部の前記ドラムと対向する側に形成された可撓部とを備えた
ことを特徴とする請求項１に記載のドラムスタンド。
【請求項６】
前記底部は、前記支持アームの外周を覆う台部と、当該台部の上部に一体的に形成され、当該台部の幅方向両端部に前記支持アームの長手方向に沿って、上方へ向け突出した一対の壁状の可撓部とを備えたことを特徴とする請求項１に記載のドラムスタンド。
【請求項７】
前記可撓部は、前記ドラムに対向する上端が内方へ向け湾曲していることを特徴とする請求項６に記載のドラムスタンド。
【発明の詳細な説明】
【０００１】
【発明の属する技術分野】
本発明は、ドラムスタンドに係り、詳しくは支持したドラムをショットする際の衝撃を和らげることができるドラムスタンドに関するものである。
【０００２】
【従来の技術】
従来より、スネアドラムスタンドは、三本の支持アームと、その各支持アームの先端を充実状態で覆うとともにスネアドラムの下側フープを載置して支持する合成ゴム製の支持ラバーとを備えている。支持ラバーは支持アームに対して、略均一な厚さでかつ薄く配置されていた。
【０００３】
【発明が解決しようとする課題】
ところが、上記支持ラバーは、衝撃吸収をほとんど行わないため、その支持ラバーに支持したスネアドラムをスティックで叩くと衝撃が手首にかかる。特に、スネアドラムのリムをスティックで叩くと衝撃が大きく、これを長時間繰り返すと演奏者は手首が疲れるという問題があった。
【０００４】
本発明は、前述した事情に鑑みてなされたものであって、その目的は支持したドラムをショットする際の衝撃を和らげることができるドラムスタンドを提供することにある。
【０００５】
【課題を解決するための手段】
上記問題点を解決するために、請求項１に記載の発明は、三つ以上の支持アームと、その各支持アームにそれぞれ設けられた支持部材とを備え、前記各支持部材によってドラムを支持するドラムスタンドであって、前記各支持部材は、ドラムの側部に対向する部位である側部と、同ドラムの底部に対向する部位である底部とを備え、前記側部は前記支持アームに固定され、前記底部は、少なくとも一部に前記ドラムからの衝撃により撓み可能な板状の可撓部を備え、かつ前記支持部材に支持されるドラムの底面部と直交する方向と略平行な方向への前記可撓部の撓みを許容する空間が形成されていることを要旨とする。
【０００６】
請求項２に記載の発明は、請求項１に記載のドラムスタンドにおいて、前記可撓部は前記側部から一体に前記支持アーム長手方向に沿って形成され、当該可撓部の下方には前記支持アームに対する隙間を有し、その隙間により前記可撓部の撓みを許容していることを要旨とする。
【０００７】
請求項３に記載の発明は、請求項２に記載のドラムスタンドにおいて、前記可撓部の前記支持アームの長手方向と直交する方向である幅方向両側には下方へ向け延びる一対の側壁部が設けられていることを要旨とする。
【０００８】
請求項４に記載の発明は、請求項１に記載のドラムスタンドにおいて、前記底部は、前記支持アームの外周を覆い、当該底部の前記支持アームより上方に位置する部分に肉厚部が形成されるとともに、当該肉厚部内に閉じた中空部が形成され、当該中空部の前記ドラムに対向する側に前記可撓部が形成されていることを要旨とする。
【０００９】
請求項５に記載の発明は、請求項１に記載のドラムスタンドにおいて、前記底部は、前記支持アームの外周を覆う台部と、当該台部の上部に一体的に形成され前記支持アームの長手方向に沿って貫通するトンネル状の中空部が形成され、当該中空部の前記ドラムと対向する側に形成された可撓部とを備えたことを要旨とする。
【００１０】
請求項６に記載の発明は、請求項１に記載のドラムスタンドにおいて、前記底部は、前記支持アームの外周を覆う台部と、当該台部の上部に一体的に形成され、当該台部の幅方向両端部に前記支持アームの長手方向に沿って、上方へ向け突出した一対の壁状の可撓部とを備えたことを要旨とする。
【００１１】
請求項７に記載の発明は、請求項６に記載のドラムスタンドにおいて、前記可撓部は、前記ドラムに対向する上端が内方へ向け湾曲していることを要旨とする。
（作用）
従って、請求項１に記載の発明においては、各側部が支持アームに固定されることで支持部材が支持アームに対して固定されるとともに、底部に備えられた板状の可撓部が、その撓みを許容するように形成された空間内において撓むことで支持部材に支持したドラムを叩くと、各支持部材の底部が撓んで衝撃を吸収する。
【００１２】
請求項２に記載の発明においては、請求項１に記載の発明の作用に加えて、可撓部と支持アームとの間には隙間があるため、その隙間を利用して可撓部が撓みを許容され、ドラムを叩いた際の衝撃吸収を行いやすい。
【００１３】
請求項３に記載の発明においては、請求項２に記載の発明の作用に加えて、両側壁部が配置されているため、可撓部のぶれが起こりにくい。
【００１４】
請求項４に記載の発明においては、請求項１に記載の発明の作用に加えて、可撓部の可撓性のみならず、閉じた中空部を有する肉厚部のエアクッション性を用いて、スティックでドラムを叩いた際の衝撃吸収を行うことができる。
【００１５】
請求項５に記載の発明においては、請求項１に記載の発明の作用に加えて、中空部がトンネル状に形成されているため、中空部において可撓部の撓みが許容されるとともに、側壁部により可撓部のぶれが起こりにくい。
【００１６】
請求項６に記載の発明においては、請求項１に記載の発明の作用に加えて、板状の可撓部は上下方向に配置され、一対の壁状の可撓部に囲まれた中空部により、可撓部の撓みが許容される。
【００１７】
請求項７に記載の発明においては、請求項６に記載の発明の作用に加えて、可撓部の撓みを湾曲方向にさせることができる。
【００１８】
【発明の実施の形態】
（第１実施形態）
以下、本発明を具体化した第１実施形態を図１〜図４に従って説明する。
【００１９】
図１は、ドラムスタンド１１全体を正面から見た図である。図１において上側を上方とし、下側を下方とする。
ドラムスタンド１１は、スタンド本体１２と、ドラムとしてのスネアドラムＳＤを支持するドラム支持部１３とを備えている。
【００２０】
スタンド本体１２は、三本の脚部１４と、下部パイプ１５と、及び上部パイプ１６とを備えている。各脚部１４の上端部は、下部パイプ１５外周に挿通された環状体１７に対して回動可能に支持されている。また、各脚部１４の中央部には、ステー１８の一端部が回動可能に支持され、そのステー１８の他端部は下部パイプ１５の下端に固定された環状体１９に対して回動可能に支持されている。そして、環状体１７を下部パイプ１５に対して上下動させることで各脚部１４を折り畳み可能に構成されている。また、環状体１７にはその環状体１７を下部パイプ１５に対して固定するための締付ネジ１７ａが取り付けられている。
【００２１】
また、下部パイプ１５内には、上部パイプ１６の下端部が挿入され、下部パイプ１５の一端部に固定された締付機構２０により上部パイプ１６は下部パイプ１５に対して固定されている。締付機構２０には、締付ナット２０ａを備えており、締付ナット２０ａを緩めた際には、下部パイプ１５に対して上部パイプ１６を上下方向へ向け相対的に移動させることができ、スタンド本体１２の長さ調節ができるようになっている。
【００２２】
上部パイプ１６の上端部には角度調節機構２５を介してドラム支持側パイプ２６が固定されている。角度調節機構２５は、上部パイプ１６とドラム支持側パイプ２６との角度を調節するものであり、角度調節機構２５に備えられた締付ナット２５ａを締め付けることで上部パイプ１６とドラム支持側パイプ２６との角度を固定する。
【００２３】
ドラム支持側パイプ２６の外周には、下部から中央部にかけて雄ネジ部２６ａが形成されている。そして、その雄ネジ部２６ａの外周には調節ナット２７が螺合されている。ドラム支持側パイプ２６の上端部外周には環状体２８が固定され、その環状体２８には三本の支持アーム２９が回動可能に支持されている。各支持アーム２９の中央部には、ステー３０の一端部が回動可能に支持され、そのステー３０の他端部は、ドラム支持側パイプ２６外周でかつ調節ナット２７より上方に配置された環状体３１に対して回動可能に構成されている。環状体３１はドラム支持側パイプ２６に対して上下移動可能に構成されている。
【００２４】
また、各支持アーム２９における環状体２８側とは反対側の端部には上方へ向けて略直角に折れ曲がったドラム挟着部２９ａが形成されている（図３（ａ）参照）。なお、以下の説明で、支持アーム２９におけるドラム挟着部２９ａに対して直角状態で隣接した部位をドラム載置部２９ｂという（図３（ａ）参照）。上記ドラム挟着部２９ａ及びドラム載置部２９ｂは平板状に形成されている。
【００２５】
上記支持アーム２９のドラム挟着部２９ａには支持部材としての合成ゴム製の支持ラバー３５が固定されている。なお、合成ゴムは弾性を有している。そして、各支持ラバー３５によってスネアドラムＳＤの下側フープＨを載置して支持するように構成されている。
【００２６】
そして、調節ナット２７をドラム支持側パイプ２６の雄ネジ部２６ａに対して回転させることで、その調節ナット２７及び環状体３１がドラム支持側パイプ２６の軸線方向に沿って移動する。環状体３１が環状体２８に近づくほど環状体３１は各ステー３０を介して各支持アーム２９を押し上げ、各支持アーム２９の各支持ラバー３５は環状体２８を回動中心として上方に回動する。すると、図２に示すように、三つの支持ラバー３５によってなされる支持可能直径Ｄが変化する。この支持可能直径Ｄを各支持ラバー３５に支持するスネアドラムＳＤの直径に合わせることで、ドラムスタンド１１に対してスネアドラムＳＤを好適に支持できる。
【００２７】
また、各支持ラバー３５にスネアドラムＳＤを支持した状態で、調節ナット２７を回して上方に移動させると、各支持ラバー３５の側部３５ａはスネアドラムＳＤの下側フープＨにおける側方を挟みつけ固定する。このようにスネアドラムＳＤの下側フープＨに対して各支持ラバー３５を挟みつけ固定すると、スネアドラムＳＤを持ち上げただけでドラムスタンド１１ごと移動させることができるようになっている。
【００２８】
次に、本発明の要部構成である支持ラバー３５について説明する。
図３（ａ），（ｂ）及び図４（ａ），（ｂ）に示すように、支持ラバー３５はドラム挟着部２９ａ全体を覆う側部３５ａと、ドラム載置部２９ｂの上方及び側方を覆う底部３５ｂとから構成されている。側部３５ａには、下方へ向けて開口する挿入穴３６が形成されており、その挿入穴３６に支持アーム２９のドラム挟着部２９ａを挿入することで、支持ラバー３５を支持アーム２９に対して固定するように構成されている。
【００２９】
底部３５ｂは、ドラム載置部２９ｂの上方に位置する肉薄状の可撓部４０と、その可撓部４０の幅方向両側から下方へ向けて突出する側壁部４１とを備えている。可撓部４０は上面がドラム載置部２９ｂに対して平行となるように形成されており、下面が環状体２８へ向かうにつれて上方へと向かう斜面となるように形成されている。即ち、可撓部４０は環状体２８へ向かうにつれて肉薄となるように形成されている。そして、可撓部４０とドラム載置部２９ｂとの間には隙間Ｃが形成されている。また、側壁部４１はドラム載置部２９ｂの幅方向両側面に対して当接するように構成されている。この両側壁部４１により、可撓部４０の幅方向への移動を規制している。
【００３０】
さらに、側部３５ａのスネアドラムＳＤに対して対向する側面（以下、側面Ｆ１という）には幅方向中央部に位置し、かつ幅方向に直交する方向に沿って突出部４２が形成されている。また、底部３５ｂのスネアドラムＳＤ側側面に対して対向する側面（以下、側面Ｆ２という）には幅方向両端に位置し、かつ幅方向に直交する方向に沿って突出部４３が形成されている。そして、スネアドラムＳＤの下側フープＨに突出部４２，４３が当接することで、下側フープＨは側面Ｆ１，Ｆ２に対して当接しないように構成されている。
【００３１】
次に、第１実施形態のドラムスタンド１１の作用について説明する。
なお、以下に示す作用説明の前提として、スネアドラムＳＤを各支持ラバー３５の側部３５ａに対して挟みつけ固定せずに、ただ単に支持ラバー３５の底部３５ｂに支持した状態とする。
【００３２】
スネアドラムＳＤ（下側フープＨ）は各支持ラバー３５の可撓部４０上（詳しく述べると突出部４３上）に載置された状態となっている。そのため、スネアドラムＳＤをスティックで叩くと、図４（ｂ）に示すように、スネアドラムＳＤを支持している可撓部４０が撓み、スネアドラムＳＤにおける厚み方向への衝撃が緩和される。特に、側部３５ａにより底部３５ｂ（可撓部４０）を片持ち梁状態で支持しており、かつスネアドラムＳＤをスティックで叩く前には可撓部４０とドラム載置部２９ｂとの間に隙間Ｃを有しているため、可撓部４０の撓み変形を好適に行うことができる。
【００３３】
さらに、可撓部４０の幅方向両側から下方へ向けて突出するとともに、ドラム載置部２９ｂの幅方向両側面に対して当接する側壁部４１を形成したため、可撓部４０が幅方向へぶれることがない。
【００３４】
また、側部３５ａと底部３５ｂとを比べると、撓み易さは底部３５ｂの方が撓みやすくなっている。従って、スネアドラムＳＤをスティックで叩いた際、演奏者の手首にかかる負担が軽減される。
【００３５】
また、スネアドラムＳＤ（下側フープＨ）は各可撓部４０に形成された突出部４３を介して支持されている。そのため、例えば、突出部４３を有さない可撓部４０（以下、平面可撓部という）と、本実施形態の突出部４３を有する可撓部４０とで下側フープＨに対する当接面積を比較すると、本実施形態の可撓部４０の方が平面可撓部と比べてその当接面積が小さくなる。従って、本実施形態の突出部４３は、平面可撓部と比して当接面積が少ない分だけスネアドラムＳＤの響きが減衰しにくくなる。
【００３６】
そして、底部３５ｂの側面Ｆ２における幅方向両端に突出部４３を形成しているため、その突出部４３を側面Ｆ２における幅方向中央部でかつ幅方向に直交する方向に沿って形成した場合よりも確実に側面Ｆ２と下側フープＨとの当接を防ぐ。
【００３７】
即ち、もし突出部４３を側面Ｆ２における幅方向中央部に形成した場合、可撓部４０は肉薄状態のため、可撓部４０における突出部４３部分が撓んで凹み、突出部４３の上端部と可撓部４０の幅方向両端部の面とが面一になってしまうことがある。すると、突出部４３のみならず、可撓部４０の幅方向両端部の面までが下側フープＨに対して当接してしまい、その分、スネアドラムＳＤの響きが減衰し易くなってしまう。しかしながら、本実施形態の突出部４３は、可撓部４０を挟んでちょうど側壁部４１の上部の位置に突出部４３を形成している。従って、可撓部４０における突出部４３部分が撓んで凹むことがなく突出部４３のみで確実に下側フープＨが支持される。
【００３８】
一方、各支持ラバー３５の側部３５ａにてスネアドラムＳＤの側方を挟みつけ固定した場合には、以下に示す作用を奏する。スネアドラムＳＤは支持ラバー３５の各側部３５ａにより挟みつけられているため、スティックでスネアドラムＳＤを叩いても、スネアドラムＳＤが前述の場合よりも沈み込まない。従って、挟みつけ固定する力を調節することで、弾力を好みの程度に調節できる。
【００３９】
従って、上記第１実施形態のドラムスタンド１１によれば、以下のような効果を得ることができる。
（１）本実施形態では、支持ラバー３５における底部３５ｂを側部３５ａよりも撓みやすく構成した。従来技術の支持ラバーでは、底部３５ｂに相当する底部と、側部３５ａに相当する側部を比べると、撓みやすさは変わらなかった。しかしながら、本実施形態の支持ラバー３５は底部３５ｂが側部３５ａより撓みやすくなっている。従って、各支持ラバー３５に支持したスネアドラムＳＤをスティックにてショットした際に、底部３５ｂがその衝撃を和らげることができる。この結果、演奏者は手首にかかる負担を軽減できる。
【００４０】
（２）本実施形態では、支持ラバー３５のうち側部３５ａを支持アーム２９のドラム挟着部２９ａに固定し、その側部３５ａにより底部３５ｂを片持ち梁状態とした。従って、底部３５ｂを容易に撓ませることができる。
【００４１】
（３）本実施形態では、底部３５ｂに肉薄状の可撓部４０を備えるようにし、その可撓部４０がスネアドラムＳＤの厚さ方向に撓むように構成した。従って、スネアドラムＳＤをスティックで叩いた際の衝撃を肉薄状の可撓部４０で吸収することができる。また、スネアドラムＳＤを各支持ラバー３５にて支持しているため、スネアドラムＳＤが横ぶれすることがなく演奏を好適に行うことができる。
【００４２】
（４）本実施形態では、可撓部４０とドラム載置部２９ｂとの間には隙間Ｃを形成し、可撓部４０の撓み変形を好適に行うようにした。従って、スネアドラムＳＤをスティックで叩いた際の衝撃を可撓部４０により一層吸収させることができる。また、隙間Ｃの間隔が予め決められているため、必要以上の撓みを防止できる。
【００４３】
（５）本実施形態では、可撓部４０の幅方向両側から下方へ向けて突出する側壁部４１を形成した。側壁部４１はドラム載置部２９ｂの幅方向両側面に対して当接するように構成し、この両側壁部４１により可撓部４０の幅方向への移動を規制した。従って、可撓部４０が幅方向へぶれることなく、その可撓部４０をスネアドラムＳＤの厚さ方向のみに確実に撓ませることができる。
【００４４】
（６）本実施形態では、底部３５ｂの側面Ｆ２には幅方向両端に位置し、かつ幅方向に直交する方向に沿って突出部４３を形成した。そして、スネアドラムＳＤの下側フープＨに突出部４３を当接させることで、下側フープＨを側面Ｆ２に対して当接させないようにした。従って、突出部４３が無く側面Ｆ２が直に下側フープＨに対して当接する場合よりも、突出部４３が下側フープＨに対して当接する方が接触面積が小さくなり、当接面積が少ない分だけスネアドラムＳＤの響きを減衰しにくくすることができる。
【００４５】
（７）本実施形態では、底部３５ｂの側面Ｆ２における幅方向両端に突出部４３を形成した。これが例えば、突出部４３を側面Ｆ２における幅方向中央部に形成した場合、可撓部４０における突出部４３部分が撓んで凹み、突出部４３の上端部と可撓部４０の幅方向両端部の面とが下側フープＨに当接してしまうことがある。しかしながら、本実施形態の突出部４３は、可撓部４０を挟んでちょうど側壁部４１の上部の位置に突出部４３を形成しているため、可撓部４０における突出部４３部分が撓んで凹むことがなく突出部４３のみで確実に下側フープＨを支持できる。
【００４６】
（８）本実施形態では、側部３５ａの側面Ｆ１には幅方向中央部に位置し、かつ幅方向に直交する方向に沿って突出部４２を形成した。各支持ラバー３５の側部３５ａでスネアドラムＳＤの下側フープＨの側方を挟みつけ固定した際に、下側フープＨに支持ラバー３５の突出部４２を当接させることで、下側フープＨを側面Ｆ１に対して当接させないようにした。従って、突出部４２が無く側面Ｆ１を直に下側フープＨに対して当接させる場合よりも、突出部４２を下側フープＨに対して当接させる方が接触面積は小さくなり、当接面積が少ない分だけスネアドラムＳＤの響きを減衰しにくくすることができる。
【００４７】
（９）本実施形態では、側部３５ａに下方へ向けて開口する挿入穴３６を形成し、その挿入穴３６に支持アーム２９のドラム挟着部２９ａを挿入することで、支持ラバー３５を支持アーム２９に対して固定するようにした。従って、Ｌ字状をなす支持アームの先端部全体に支持ラバーをモールドする従来のドラムスタンドと比べて、本実施形態のドラムスタンド１１は、予め形成された支持ラバー３５を支持アーム２９のドラム挟着部２９ａに対して嵌めるだけであるため組み付けし易い。
【００４８】
（第２実施形態）
以下、本発明を具体化した第２実施形態を図５（ａ）に従って説明する。なお、第２実施形態を含む以下の実施形態のドラムスタンドは、前記第１実施形態のドラムスタンド１１における支持ラバー３５のみを変更したものであり、前記第１実施形態と同様の構成については、同一符号を付して、その詳細な説明を省略し、異なるところのみを説明する。
【００４９】
本実施形態のドラムスタンド５０は支持部材としての合成ゴム製の支持ラバー５１を備えている。支持ラバー５１は、支持アーム２９のドラム載置部２９ｂに挿通する四角筒状の底部５２と、第１実施形態の支持ラバー３５の側部３５ａ部分に相当する側部５３とを備えている。なお、本実施形態の底部５２と側部５３は別々に構成されている。側部５３のスネアドラムＳＤに対して対向する側面の幅方向中央部には、第１実施形態の突出部４２に相当する突出部５４が形成されている。
【００５０】
そして、底部５２の両側壁は肉薄状の可撓部５２ａとされている。底部５２内において、ドラム載置部２９ｂの上面には、衝撃吸収部材としてのコイルスプリング５５の下端を収納する凹部５６が形成されている。また、底部５２の内周面において、ドラム載置部２９ｂの上面に対向する面にはコイルスプリング５５の上端を収納する凹部５７が形成されている。そして、その凹部５６と凹部５７との間にコイルスプリング５５が配置されている。
【００５１】
また、底部５２のスネアドラムＳＤに対して対向する側面の幅方向両側には、第１実施形態の突出部４３に相当する突出部５８がそれぞれ形成されている。
次に、第２実施形態のドラムスタンド５０の作用について説明する。
【００５２】
スネアドラムＳＤをドラムスタンド５０に支持した状態で、スネアドラムＳＤをスティックで叩くと、可撓部５２ａがスネアドラムＳＤの厚さ方向に撓むとともに、コイルスプリング５５が自身の弾性に抗して弾性変形する。この結果、スネアドラムＳＤにおける厚さ方向の衝撃を緩和する。
【００５３】
従って、上記第２実施形態のドラムスタンド５０によれば、第１実施形態の（１）、（３）、（６）〜（８）と略同様の効果を得るとともに、以下のような効果を得ることができる。
【００５４】
（１）本実施形態では、支持ラバー５１は四角筒状の底部５２を備え、ドラム載置部２９ｂの上面に形成した凹部５６と、底部５２の内周面におけるドラム載置部２９ｂの上面に対向する面に形成した凹部５７との間にコイルスプリング５５を配置した。そして、可撓部５２ａの可撓性と、コイルスプリング５５の反発力にてスネアドラムＳＤをスティックで叩いた際の衝撃を緩和するようにした。従って、コイルスプリング５５の反発力を適宜選定することで、スネアドラムＳＤをスティックで叩いた際の衝撃吸収能力を選定できる。また、コイルスプリング５５の交換のみで底部５２の弾性を容易に調節できる。
【００５５】
（第３実施形態）
以下、本発明を具体化した第３実施形態を図５（ｂ）に従って説明する。
本実施形態のドラムスタンド６０は支持部材としての合成ゴム製の支持ラバー６１を備えている。支持ラバー６１は、ドラム挟着部２９ａの外周を覆う側部６２と、ドラム載置部２９ｂの外周を覆う底部６３とを備えている。側部６２及び底部６３は、ドラム挟着部２９ａ及びドラム載置部２９ｂに対して合成ゴムをモールド成形することにより構成されている。
【００５６】
底部６３におけるドラム載置部２９ｂより上方に位置する部分は、側部６２におけるドラム挟着部２９ａより環状体２８側の部分の厚さより肉厚に形成されている（以下、その肉厚部分を肉厚部６３ａという）。そして、肉厚部６３ａ内には、中空部６４が形成されており、この中空部６４を有する肉厚部６３ａは衝撃吸収部材としてのエアクッションに相当する。そして、肉厚部６３ａにおける中空部６４の上方に位置する部分及び、側方に位置する部分が肉薄状の可撓部６５とされている。
【００５７】
そして、側部６２のスネアドラムＳＤに対して対向する側面の幅方向中央部には、第１実施形態の突出部４２に相当する突出部６６が形成されている。また、底部６３のスネアドラムＳＤに対して対向する側面の幅方向両側には、第１実施形態の突出部４３に相当する突出部６７がそれぞれ形成されている。
【００５８】
次に、第３実施形態のドラムスタンド６０の作用について説明する。
スネアドラムＳＤをドラムスタンド６０に支持した状態で、スネアドラムＳＤをスティックで叩くと、中空部６４を有する肉厚部６３ａがエアクッションとなるとともに、可撓部６５がスネアドラムＳＤの厚さ方向に撓む。この結果、スネアドラムＳＤにおける厚さ方向の衝撃を緩和する。
【００５９】
従って、上記第３実施形態のドラムスタンド６０によれば、第１実施形態の（１）、（３）、（６）〜（８）と略同様の効果を得るとともに、以下のような効果を得ることができる。
【００６０】
（１）本実施形態では、支持ラバー６１は、肉厚部６３ａを有する底部６３を備え、その肉厚部６３ａ内に中空部６４を形成した。そして、肉厚部６３ａにおける中空部６４の上方に位置する部分及び、側方に位置する部分が可撓部６５とした。従って、可撓部６５の可撓性のみならず、中空部６４を有する肉厚部６３ａのエアクッション性を用いて、スティックでスネアドラムＳＤを叩いた際の衝撃吸収を行うことができる。
【００６１】
（第４実施形態）
以下、本発明を具体化した第４実施形態を図５（ｃ）に従って説明する。なお、本実施形態のドラムスタンド７０は、第３実施形態のドラムスタンド６０において支持ラバー６１の中空部６４を省略したものに相当する。
【００６２】
即ち、底部６３におけるドラム載置部２９ｂより上方に位置する部分は、側部６２におけるドラム挟着部２９ａより環状体２８側の部分の厚さより肉厚となった肉厚部６３ａを備えているため撓みやすい。
【００６３】
従って、スティックでスネアドラムＳＤを叩いた際の衝撃を肉厚部６３ａが撓むことで吸収する。
従って、上記第４実施形態のドラムスタンド７０によれば、第１実施形態の（１）、（６）〜（８）と略同様の効果を得る。
【００６４】
（第５実施形態）
以下、本発明を具体化した第５実施形態を図５（ｄ）に従って説明する。
本実施形態のドラムスタンド７５は支持部材としての合成ゴム製の支持ラバー７６を備えている。支持ラバー７６は、ドラム挟着部２９ａ及びドラム載置部２９ｂの外周を均一な厚さで覆う合成ゴム製の側部７７及び台部７８を備えている。台部７８の上部には衝撃吸収部材としてのスポンジ７９が固定されている。そして、台部７８とスポンジ７９により底部７４が構成されている。
【００６５】
従って、スティックでスネアドラムＳＤを叩いた際の衝撃をスポンジ７９が撓むことで吸収する。
従って、上記第５実施形態のドラムスタンド７５によれば、第１実施形態の（１）と略同様の効果を得る。
【００６６】
（第６実施形態）
以下、本発明を具体化した第６実施形態を図６（ａ）、（ｂ）に従って説明する。
【００６７】
本実施形態のドラムスタンド８０は支持部材としての合成ゴム製の支持ラバー８１を備えている。支持ラバー８１は、ドラム挟着部２９ａ及びドラム載置部２９ｂの外周を均一な厚さで覆う合成ゴム製の側部８２及び台部８３を備えている。台部８３の上部には断面略逆チャンネル形状で肉薄状の可撓部８４が一体的に形成されている。台部８３と可撓部８４により底部８５が構成されている。可撓部８４のスネアドラムＳＤに対して対向する側面の幅方向両側には、第１実施形態の突出部４３に相当する突出部８６がそれぞれ形成されている。
【００６８】
従って、スティックでスネアドラムＳＤを叩いた際の衝撃を可撓部８４が撓むことで吸収する。
従って、上記第６実施形態のドラムスタンド８０によれば、第１実施形態の（１）、（３）、（６）、（７）と略同様の効果を得る。
【００６９】
（第７実施形態）
以下、本発明を具体化した第７実施形態を図７（ａ）、（ｂ）に従って説明する。
【００７０】
本実施形態のドラムスタンド９０は支持部材としての合成ゴム製の支持ラバー９１を備えている。支持ラバー９１は、ドラム挟着部２９ａ及びドラム載置部２９ｂの外周を均一な厚さで覆う合成ゴム製の側部９２及び台部９３を備えている。台部９３の幅方向両端部には上方へ向け突出するとともに先端が内方へ向け湾曲した肉薄状の可撓部９４をそれぞれ備えている。台部９３と可撓部９４により底部９５が構成されている。そして、その可撓部９４の上端部は第１実施形態の突出部４３と略同様の効果を奏するようになっている。
【００７１】
従って、スティックでスネアドラムＳＤを叩いた際の衝撃を可撓部９４が撓むことで吸収する。
従って、上記第７実施形態のドラムスタンド９０によれば、第１実施形態の（１）、（３）と略同様の効果を得る。
【００７２】
なお、上記各実施形態は以下のような別例に変更して具体化してもよい。
・前記第１実施形態の支持ラバー３５では、側壁部４１を設けていたが、図８（ａ）に示すように省略してもよい。また、この際、可撓部４０の環状体２８側端部から下方へ向けてドラム載置部２９ｂに当接する撓み抑制部１００を延設してもよい（図８（ｂ）参照）。この撓み抑制部１００を延設することで、可撓部４０の撓み変形を抑制できる。
【００７３】
・前記第７実施形態では、台部９３の幅方向両端部において、上方へ向け突出するとともに先端が内方へ向け湾曲した肉薄状の可撓部９４をそれぞれ設けていた。これに限らず、図８（ｃ）に示すように、台部９３の上面から肉薄状の複数の壁体１０１を突出するようにしてもよい。なお、壁体１０１は可撓部に相当する。
【００７４】
・前記第２実施形態では、底部５２内にコイルスプリング５５を配置していたが、この代わりに、衝撃吸収部材として板バネ、スポンジ、ゲル等を配置するようにしてもよい。
【００７５】
・前記第１〜第４及び第６実施形態では、突出部４３，５８，６７，８６を形成していたが、省略してもよい。
・前記第１〜第４実施形態では、突出部４２，５４，６６を形成していたが、省略してもよい。
【００７６】
・前記各実施形態では、ドラムスタンド１１，５０，６０，７０，７５，８０，９０に対してスネアドラムＳＤを支持するように構成していたが、スネアドラムＳＤ以外のドラムを支持するように構成してもよい。
【００７７】
・前記各実施形態のドラムスタンド１１，５０，６０，７０，７５，８０，９０では、三本の支持アーム２９を備えていたが、四本以上の支持アーム２９を備える構成としてもよい。
【００７８】
次に、上記各実施形態及び別例から把握できる技術的思想について以下に追記する。
（イ）前記底部には衝撃吸収部材が配設されている請求項１乃至請求項７のうちいずれか１項に記載のドラムスタンド。
【００７９】
（ロ）前記衝撃吸収部材はスポンジ、コイルバネ、板バネ、エアクッション、ゲルのうち少なくともいずれか一つであることを特徴とする請求項１に記載のドラムスタンド。
【００８０】
【発明の効果】
以上詳述したように、本発明によれば、支持したドラムをショットする際の衝撃を和らげることができる。
【図面の簡単な説明】
【図１】  第１実施形態におけるドラムスタンドの正面図。
【図２】  第１実施形態におけるドラムスタンドの平面図。
【図３】  （ａ），（ｂ）は、第１実施形態における支持ラバーを示す部分拡大斜視図。
【図４】  （ａ），（ｂ）は、第１実施形態における支持ラバーとスネアドラムとの関係を示す部分拡大断面図。
【図５】  （ａ）〜（ｄ）は第２〜第５実施形態におけるドラムスタンドをそれぞれ示す部分拡大断面図。
【図６】  （ａ），（ｂ）は第６実施形態におけるドラムスタンドを示す部分拡大断面図。
【図７】  （ａ），（ｂ）は第７実施形態におけるドラムスタンドを示す部分拡大断面図。
【図８】  （ａ），（ｂ）は第１実施形態の別例を示す部分拡大断面図。（ｃ）は第７実施形態の別例を示す部分拡大断面図。
【符号の説明】
１１，５０，６０，７０，７５，８０，９０…ドラムスタンド、
２９…支持アーム、
３５，５１，６１，７６，８１，９１…支持部材としての支持ラバー、
３５ａ，５３，６２，７７，８２，９２…側部、
３５ｂ，５２，６３，７４，８５，９５…底部、
４０，５２ａ，６５，８４，９４…可撓部、４１…側壁部、
４２，４３，５４，５８，６６，６７，８６…突出部、Ｃ…隙間、
ＳＤ…ドラムとしてのスネアドラム
【図１】
0003708486.tif 000002
【図２】
0003708486.tif 000003
【図３】
0003708486.tif 000004
【図４】
0003708486.tif 000005
【図５】
0003708486.tif 000006
【図６】
0003708486.tif 000007
【図７】
0003708486.tif 000008
【図８】
0003708486.tif 000009